(57)【要約】【課題】地中に強力な地磁力領域を形成して構築される建物のアースを効果的に行い、建物のプラスイオンの吸着、分解、防虫防カビ力の増大を図り、また静電気、浮遊粒子を防ぎ、環境浄化を高めることを目的とする。【解決手段】地中に炭素埋設部１，…を設け、炭素埋設部１，…をアースリード線３，…で結合し、アースリード線３，…で結合された炭素埋設部１，…の周りに地磁力領域４，…を形成し、地上に構築された建物５の鉄筋土間コンクリート６、床下調湿炭袋７，…、鋼製束８、鉄柱９、炭塗装板１０をアースリード線３，…に結合する。【選択図】      図４
2005002690.tif 000002
【特許請求の範囲】
【請求項１】
地中に複数の炭素埋設部を設け、該炭素埋設部をアース線で結合し、アース線で結合された炭素埋設部の周りに地磁力領域を形成したことを特徴とする地盤構造。
【請求項２】
地磁力領域に内部に給水を通した導電性配管を埋設し、該導電性配管とアース線を結合した請求項１記載の地盤構造。
【請求項３】
地中に複数の炭素埋設部を設け、該炭素埋設部をアース線で結合し、アース線で結合された炭素埋設部の周りに地磁力領域を形成した地盤上に構築された建物内の導電性部材と上記炭素埋設部との間をアース線で結合するようにしたことを特徴とする建物のアース方法。
【請求項４】
建物内の導電性部材が炭塗装合板、導電性のボード類、鋼製柱、鋼製束、床下調湿炭、土間炭入り鉄筋コンクリートである請求項３記載の建物のアース方法。
【請求項５】
地磁力領域に内部に給水を通した導電性配管を埋設し、該導電性配管とアース線を結合した請求項３記載の建物のアース方法。
【発明の詳細な説明】
【０００１】
【発明が属する技術分野】
この発明は、地盤構造とこれを利用した建物のアース方法に関するものである。
【０００２】
【従来の技術】
例えば、絶縁環境において生存率の激減或は生体異変などの多くの動物実験例に見られるように、従来絶縁環境は人間を始めとした動植物の生活環境に悪影響を及ぼすことが知られている。
【０００３】
これに対して、導体である炭にアース接続するとその炭がイオン力を増し、常時非絶縁環境に保たれることが実験により判明し、例えばアース炭マット上に幼児を寝かせることにより幼児の体温が３５．５℃から３６．３℃に上昇し、体内の活性化が実証されている。
【０００４】
また、子マウスについて絶縁環境にあるボックスと内部に炭を敷いてアース接続したボックス内での生育試験ではアース接続した状態での生育試験が絶縁環境での生育試験に比べて著しい体重の増加が見られた。
【０００５】
この他導体である炭を用いてアース接続して体内電位を地電位に準ずるようにして各種の体調不良が解消されることが本願発明者の実験により判明した。
【０００６】
一方、絶縁環境及び地電位の高低差によって起こる健康障害を改善するために、建築基礎における微粉炭埋設施工法が提案されている（特開平８−２０６６７７号公報、特開２０００−５４３７１公報）。
【０００７】
また、本願発明者も先に地中に炭埋設部を設け、地上に構築される建物内の導電性処理した床、壁、天井等を上記炭埋設部とアース線で接続した高層住宅等における絶縁障害の除去システムを提案した（特願２００３−８７８８８）。
【０００８】
この場合地中の炭埋設部はその蓄電性によりその周りに地磁力領域が形成され、これによりアースされて建物の絶縁障害を除去でき、同時にアース線を介して炭埋設部と結合された建物内の床、壁、天井等は地電位と同電位となり、この結果炭イオン力が増大してプラスイオンの吸着、分解力、防虫防カビ力の増大を図り、また静電気、浮遊粒子を防ぎ、環境浄化を高めることができる。
【０００９】
【発明が解決しようとする課題】
しかし、従来地中の埋設される炭埋設部は一個乃至複数個の場合でも夫々が独立して埋設されているため、夫々の炭埋設部の周りに独立して地磁力領域が形成されるに過ぎず、このため絶縁障害除去効果、防虫防カビ効果、静電気、浮遊粒子防止効果等も限られたものとなっている。
【００１０】
【課題を解決するための手段】
この発明は、上記実情に鑑み、地中に複数の炭素埋設部を設け、該炭素埋設部をアース線で結合し、アース線で結合された炭素埋設部の周りに地磁力領域を形成した地盤構造とこれを利用した建物のアース方法を提案するものである。
【００１１】
【発明の実施の形態】
即ち、地中に流れている地電流が炭埋設部に蓄電され、これにより個々の炭埋設部の周りには地磁力領域が形成されるが、この発明のように地中に設けられた複数の炭埋設部をアースリード線で結合すると、アースリード線を地電流が流れ、炭埋設部の周りに形成される地磁力領域と相俟って強力な地磁力領域が形成される。
【００１２】
なお、複数の炭埋設部をアースリード線でループ状に結合すれば、ループ内の炭埋設部が連帯して地磁力を倍増させることができる。
【００１３】
したがって、地中に複数の炭素埋設部を設け、該炭素埋設部をアース線で結合し、アース線で結合された炭素埋設部の周りに地磁力領域を形成した地盤上に構築された建物内外の導電性部材、例えば炭塗装合板、導電性のボード類、鋼製柱、鋼製束、床下調湿炭、土間炭入り鉄筋コンクリート等との上記炭素埋設部との間をアース線で結合することにより、建物の効果的なアースが行われ、建物において非絶縁環境が保たれる。
【００１４】
また、アース線を介して炭埋設部と結合された炭塗装合板、導電性のボード類、鋼製柱、鋼製束、床下調湿炭、土間炭入り鉄筋コンクリートは地電位と同電位となり、この結果炭イオン力が増大してプラスイオンの吸着、分解、防虫防カビ力の増大を図り、また静電気、浮遊粒子吸着を防ぎ、環境浄化を高めることができる。
【００１５】
なお、地磁力領域に内部に給水を通した導電性配管を埋設し、導電性配管とアースリード線を結合すれば、地電流が配管に沿って流れ、内部を通過する給水は地磁力を受け、マイナスイオン化して還元性の水とすることができる。
【００１６】
更に、この発明においてアース線は導電性の金属線を使用することができるが、アース効果を増進させるためには良導炭を筒状にしてその中に導線を挿入したものを使用してもよい。
【００１７】
【実施例】
以下、この発明を図示の実施例に基づいて詳細に説明すると、図１、図２はこの発明に係る地盤構造を示すものであり、例えば境界線内の地中には前列に３個、後列に２個の炭埋設部１，…が所定間隔を置いて設けられ、更に炭埋設部１，…の中央にはアース棒２，…が挿入され、アース棒２，…はアースリード線３，…でループ状に結合する。
【００１８】
炭埋設部１，…の周囲には地電流を受けて点線で示される地磁力領域４，…が形成されるが、炭埋設部１，…をアースリード線３，…でループ状に結合することにより、アースリード線３，…で囲まれる炭埋設部１，…に地磁力領域が形成され、炭埋設部の周りに形成される地磁力領域４，…と相俟って強力な地磁力領域が形成される。
【００１９】
図３、図４はこの発明に係わる地盤構造上に構築される建物５のアースシステムを示すものであり、６は鉄筋土間コンクリート、７，…は土間コンクリート６上に敷設される床下調湿炭袋、８は鋼製束、９は鉄柱、１０は炭塗装板であり、土間コンクリート６の鉄筋、床下調湿炭袋７，…、鋼製束８、鉄柱９、炭塗装板１０とはアースリード線３，…で結合される。
【００２０】
以上のような構成において、建物５内外に溜まる電荷は鉄筋土間コンクリート６、床下調湿炭袋７，…、鋼製束８、鉄柱９、炭塗装板１０及びアースリード線３，…を通して炭埋設部１，…にアースされるが、この発明では炭埋設部１，…をアースリード線３，…で結合することにより強力な地磁力領域が形成されるので、効果的なアースが行われ、建物５の非絶縁環境が保たれる。
【００２１】
また、アースリード線３，…を介して炭埋設部１，…と結合された炭塗装合板１０、鉄柱９、鋼製束８、床下調湿炭袋７，…、鉄筋土間コンクリート６は地電位と同電位となり、この結果炭イオン力が増大してプラスイオンの吸着、分解力、防虫防カビ力の増大を図り、また静電気、浮遊粒子を防ぎ、環境浄化を高めることができる。
【００２２】
図５、図６は地中の地磁力領域に導電性水道管１１を埋設し、導電性水道管１１とアースリード線３，…を結合した例を示すものであり、この場合は地電流が水道管１１に沿って流れ、この結果水道管１１内を通過する水は地磁力を受けてマイナスイオン化されるので、水道管１１より還元性の水の給水を受けることができる。
【００２３】
【発明の効果】
以上要するに、この発明によれば複数の炭埋設部をアース線で結合することにより地中には強力な地磁力領域が形成されるので、これに構築された建物内外の導電性床下、壁、柱等をアース接続することにより、建物が非絶縁環境が保たれ、プラスイオンの吸着、分解、防虫防カビ力の増大を図り、また静電気、浮遊粒子を防ぎ、環境浄化を高めることができる。
【図面の簡単な説明】
【図１】この発明に係る地盤構造の平面図
【図２】同上の側面図
【図３】この発明に係わる地盤構造上に構築される建物のアース方法の一実施例を示す図
【図４】同上の実施例におけるアースリード線の系統配線図
【図５】地中の地磁力領域に配管された水道管のアースシステムの一実施例を示す平面図
【図６】同上の側面図
【符号の説明】
１，…は炭埋設部
２，…はアース棒
３，…はアースリード線
４，…は地磁力領域
５は地盤構造上に構築される建物
６は鉄筋土間コンクリート
７，…は床下調湿炭袋
８は鋼製束
９は鉄柱
１０は炭塗装板
１１は導電性水道管
【図１】
2005002690.tif 000003
【図２】
2005002690.tif 000004
【図３】
2005002690.tif 000005
【図４】
2005002690.tif 000006
【図５】
2005002690.tif 000007
【図６】
2005002690.tif 000008